(57)【要約】  【課題】システムキッチン組み込み式のビルトイン型冷蔵庫において、庫内湿度の調整を可能とし、貯蔵環境を改善する。  【解決手段】外枠１０の上部にシンク１１が配置されたシステムキッチンにおいて、最下段の収納スペースに冷蔵庫を設置する場合、庫内カバー２３の吸込口２７に湿度調整板２９を設け、庫内風量を調整することにより庫内湿度を調整でき、システムキッチン内や理化学実験台下部等の限られた空間において、収納枠内に簡単にビルトイン設置でき、特に、奥行き方向の収納量を確保した庫内湿度環境が提供できるものである。【選択図】図４
2006105562.tif 000002
【特許請求の範囲】
【請求項１】
システムキッチン等の本体に設けられた引き出しスペースに設置される冷蔵庫であって、前面を開口した貯蔵室の左右のいずれか一方に、前記貯蔵室を冷却するための冷却ユニットを集中配置し、前記貯蔵室内に、前後方向にスライド可能となるように容器を配置し、さらに前記貯蔵室の前面開口部を開閉する扉を設けて前記貯蔵室を閉塞空間とし、前記貯蔵室内に、前記冷却ユニットの冷気を循環させる庫内風路を形成し、前記庫内風路に庫内湿度調整手段を設けたビルトイン型冷蔵庫。
【請求項２】
前記湿度制御手段を、前記庫内風路の風路面積を手動で調整できる機構とした請求項１に記載のビルトイン型冷蔵庫。
【請求項３】
前記湿度制御手段は、前記庫内風路を流れる風量、冷気温度を調整する電動用ダンパ構成とした請求項１に記載のビルトイン型冷蔵庫。
【請求項４】
前記庫内風路を構成する庫内カバーの吸込口近傍に、吸湿材を設置した請求項１から３のいずれか１項に記載のビルトイン型冷蔵庫。
【請求項５】
前記庫内カバーの一部に、前記吸湿材の取り出し口を設けた請求項１から４のいずれか１項に記載のビルトイン型冷蔵庫。
【請求項６】
システムキッチン等の本体に設けられた引き出しスペースに設置される冷蔵庫であって、前面を開口した貯蔵室の左右どちらか一方に、前記貯蔵室を冷却するための冷却ユニットを集中配置し、前記貯蔵室は、固定レールと前後方向にスライド可能に前記固定レールに支持される中間レール、可動レールとからなるレール機構を左右の内側壁下部に備え、前記貯蔵室の前面開口部を開閉する引き出し式の扉の内面には、前記レール機構と係合して前記貯蔵室内の奥行き寸法分の前記扉の引き出しができるように前記扉を支持する受枠が固定され、前記受枠には、上面を開口した容器が載せられ、内壁と冷却室と貯蔵室の庫内カバーと前記容器により庫内風路を構成し、前記庫内カバーに庫内湿度調整手段を設けたビルトイン型冷蔵庫。
【発明の詳細な説明】
【技術分野】
【０００１】
本発明は、システムキッチン等を本体とする一区画の下部空間に収納できるよう構成したビルトイン型冷蔵庫の庫内の湿度調整手段に関するものである。
【背景技術】
【０００２】
従来、システムキッチン等に収納される機器としては、電気式レンジオーブン・テーブル、ガス式オーブン・テーブル、食器洗い乾燥機、生ごみ処理機等が主なものである。特に最近は食器洗い乾燥機でも、ボックス状の収納部が引き出し式であるものが主流となり、収納部についても、上段から下段まで引き出し式の収納部となっている。
【０００３】
しかし、その収納部の中でもシンク下については、シンク用の給排水配管があり、例えば、その部分については、他の引き出し収納部より奥行きが狭い空間となっている。
【０００４】
そのような構成において、前記システムキッチンの前記給排水配管が延在しない区画に、保冷庫を設置している構成も知られている（例えば、特許文献１参照）。
【０００５】
図７は、先の特許文献１に記載されたシステムキッチン用の保冷庫を示すものである。同図に示すように、台所収納体の組付け空間１に外ケース２が組み込まれ、該外ケース２に、容器状の収納体３が出し入れ可能に設置されている。冷却部は、ペルチェ素子４、送風ファン５、及び熱交換器６等で構成され、前記容器状の収納体３を周囲温度より低い温度にして保冷庫を構成している。この保冷庫をシステムキッチンの収納部の一部に配設することで、食品の変質や味落ちが防止できる。また前記保冷庫の左右には、前記熱交換器６用の空気導入経路７と排気経路８が形成されており、これによってシステムキッチンの収納部に収まった状態での吸排気スペースを確保している。
【特許文献１】特開２００３−１６１５６５号公報
【発明の開示】
【発明が解決しようとする課題】
【０００６】
しかしながら、上記従来の構成では、外形や放熱風路などの構成を採用しつつも、ペルチェ冷却で庫内温調を基本としており、その庫内湿度を調整することはできなかった。
【０００７】
本発明は、上記従来の課題を解決するもので、システムキッチンのシンク下部奥側に、給排水管が延在する空間への組み込みであっても、貯蔵庫内の奥行き寸法を十分に確保し、あわせて庫内の食品などの収納スペースの湿度調整を可能にし、食材にあわせた湿度管理やカビなどの繁殖の防止ができるようにすることを目的とする。
【課題を解決するための手段】
【０００８】
上記従来の課題を解決するために、本発明の冷蔵庫は、システムキッチン等の本体に設けられた引き出しスペースに設置される冷蔵庫であって、前面を開口した貯蔵室の左右のいずれか一方に、前記貯蔵室を冷却するための冷却ユニットを集中配置し、前記貯蔵室内に、前後方向にスライド可能となるように容器を配置し、さらに前記貯蔵室の前面開口部を開閉する扉を設けて前記貯蔵室を閉塞空間とし、前記貯蔵室内に、前記冷却ユニットの冷気を循環させる庫内風路を形成し、前記庫内風路に庫内湿度調整手段を設けたものである。
【０００９】
したがって、前記庫内湿度調整手段を制御操作することにより、風路面積、あるいは風量、さらには送風温度等の制御が可能となり、貯蔵室内を、庫内環境に応じた湿度状態に維持できる。
【発明の効果】
【００１０】
本発明の冷蔵庫は、システムキッチン内や理化学実験台下部等の限られた空間において、収納枠内に簡単にビルトイン設置でき、特に、奥行き方向の収納量を確保し、さらに、庫内湿度調整により食品の種類に適合した庫内湿度環境が提供できるものである。
【発明を実施するための最良の形態】
【００１１】
請求項１に記載の発明は、システムキッチン等の本体に設けられた引き出しスペースに設置される冷蔵庫であって、前面を開口した貯蔵室の左右のいずれか一方に、前記貯蔵室を冷却するための冷却ユニットを集中配置し、前記貯蔵室内に、前後方向にスライド可能となるように容器を配置し、さらに前記貯蔵室の前面開口部を開閉する扉を設けて前記貯蔵室を閉塞空間とし、前記貯蔵室内に、前記冷却ユニットの冷気を循環させる庫内風路を形成し、前記庫内風路に庫内湿度調整手段を設けたものである。
【００１２】
かかる構成とすることにより、庫内湿度調整手段の操作で簡単に庫内湿度が調整できるため、収納食品にあわせた湿度条件が設定でき、また、カビなど繁殖の防止もできる。
【００１３】
請求項２に記載の発明は、前記湿度制御手段を、前記庫内風路の風路面積を手動で調整できる機構としたものである。
【００１４】
したがって、面積調整の操作で、安価にかつ簡単に湿度調整ができる。
【００１５】
請求項３に記載の発明は、前記湿度制御手段を、前記庫内風路を流れる風量、冷気温度を調整する電動用ダンパ構成としたものである。
【００１６】
したがって、前記人手操作を用いずに簡単に湿度が調整でき、操作が一層簡素なものである。
【００１７】
請求項４に記載の発明は、前記庫内風路を構成する庫内カバーの吸込口近傍に、吸湿材を設置したものである。
【００１８】
かかる構成により、吸湿材の併用によってより低湿条件が設定でき、カビなどの繁殖をさらに防止できる。
【００１９】
請求項５に記載の発明は、前記庫内カバーの一部に、前記吸湿材の取り出し口を設けたもので、前記吸湿材の取り替え操作が簡単となり、また、長期間使用できる。
【００２０】
請求項６に記載の発明は、システムキッチン等の本体に設けられた引き出しスペースに設置される冷蔵庫であって、前面を開口した貯蔵室の左右どちらか一方に、前記貯蔵室を冷却するための冷却ユニットを集中配置し、前記貯蔵室は、固定レールと前後方向にスライド可能に前記固定レールに支持される中間レール、可動レールとからなるレール機構を左右の内側壁下部に備え、前記貯蔵室の前面開口部を開閉する引き出し式の扉の内面には、前記レール機構と係合して前記貯蔵室内の奥行き寸法分の前記扉の引き出しができるように前記扉を支持する受枠が固定され、前記受枠には、上面を開口した容器が載せられ、内壁と冷却室と貯蔵室の庫内カバーと前記容器により庫内風路を構成し、前記庫内カバーに庫内湿度調整手段を設けたものである。
【００２１】
かかる構成とすることにより、簡単に庫内の循環風量が可変でき、また、庫内湿度の調整により、収納食品にあわせた湿度条件が設定でき、また、カビなどの繁殖も防止できる。
【００２２】
以下、本発明の実施の形態について、図面を参照しながら説明するが、従来例と同一の構成部材については同一の符号を付して、その詳細な説明は省略する。なお、本実施の形態によってこの発明が限定されるものではない。
【００２３】
（実施の形態１）
図１は、本発明の実施の形態１におけるビルトイン型冷蔵庫を組み込んだシステムキッチンの斜視図である。
【００２４】
システムキッチンは、奥行き・幅・高さなどで様々な種類があり、調理などをするワークトップ９は、システムキッチンの外枠１０の上部に構成されており、ワークトップにはシンク１１、その下に引き出し収納スペース１２、その下にシステムキッチン組み込み式のビルトイン型冷蔵庫（以下、冷蔵庫と称す）１３が配置されている。冷蔵庫１３の前面には、化粧板１４Ａ、吸込みグリル１４Ｃを具備した化粧板１４Ｂが設けられている。
【００２５】
このような構成により、システムキッチンの外観を損なわずに冷蔵庫１３を組み込むことができる。
【００２６】
図２は、同実施の形態におけるビルトイン型冷蔵庫を前面に引き出したときのシステムキッチンの斜視図である。
【００２７】
冷蔵庫１３は、大きくは貯蔵室である収納部１５、機械室１６で構成されている。収納部１５の前面には断熱扉１７が設けられ、この断熱扉１７には、システムキッチンの外観を統一するために意匠パネルである前述の化粧板１４Ａが取り付けられている。また、機械室１６の前面には、前述の如く吸込みグリル１４Ｃを一体成形した化粧板１４Ｂが取り付けられている。
【００２８】
図３は、同実施の形態におけるビルトイン型冷蔵庫の部分斜視図である。収納部１５の庫内１８は、庫内カバー２３によって冷却ユニット１９を構成する冷却器２０と庫内攪拌用ファンモータ２１を収納した冷却室２２と区分されている。ここで、冷却ユニット１９は、その熱源を、ペルチェ素子を備えた周知の構成からなるものを採用しているが、小型のヒートポンプシステムを採用することも可能である。さらに、庫内１８には、食品等の物品を収納する収納ケース２４がもうけられ、この収納ケース２４は、レール２５に戴置され、収納部１５内において前後方向にスライド可能に構成されている。レール２５は、固定レール２５Ａ、図示しない中間レール、可動レール２５Ｃで構成され、それぞれは摺動嵌合して伸縮する。
【００２９】
図４は、同実施の形態におけるビルトイン型冷蔵庫の冷却室近傍の拡大斜視図である。冷却室２２と庫内１８を仕切る庫内カバー２３には、冷却室２２で生成された冷気を庫内１８へ導入するための吐出口２６と、庫内１８で熱交換された冷気を冷却室２２へ導入するため吸込口２７が設けられている。吸込口２７は、庫内カバー２３においての断熱扉１７側に設けられており、そしてこの吸込口２７の上下端に、一対の湿度調整板用のレール２８が設けられている。
【００３０】
前記一対のレール２８間には、湿度調整板２９が摺動可能に配置され、その摺動により吸込口２８の開口面積を調整する。湿度調整板２９の一部には、庫内カバー２３には、前記摺動操作が手動で行い易くなるように操作部３０が庫内側に突出して設けられている。
【００３１】
以上のように構成されたシステムキッチン組み込み式のビルトイン型冷蔵庫について、以下その動作、作用を説明する。
【００３２】
冷蔵庫１３は、システムキッチン本体９の最下部に組み込まれる。そのとき、シンク１１には、水道や排水などの配管（いずれも図示せず）があるため、冷蔵庫１３の奥行き方向に関しては、寸法に制限がある。
【００３３】
そのため、本実施の形態における冷蔵庫１３は、冷蔵庫左右側面のどちらかに冷却ユニット１９、機械室１６を集中して設置している。また、それに伴い、冷却室２２も同じ側面に配置し、構成部品も冷却ユニット１９に集中配置することにより、奥行き方向における冷却構成部品の配置を極力無くし、こない１８の奥行き方向寸法を十分にし、食品などを収納する庫内容量を確保している。
【００３４】
ここで、食品の保鮮性に関係のある庫内１８の相対湿度は、冷却器２０の表面温度と庫内温度の差に関係があり、庫内風量が多いほどそれらの温度差は少なくなり、庫内１８は多湿の環境になる。しかし、のりや乾物などの食品を収納する場合もあり、食品に合わせた湿度調整手段が必要となる。
【００３５】
そこで、本実施の形態においては、庫内カバー２３の吸込口２７に、その吸込口２７の開口面積を調整する湿度調整板２９を設けているため、吸込口２７の面積を調整し、庫内１８の循環風量を調整することによって庫内１８の湿度を調整することができる。すなわち、風量が少ない場合は、冷却器２０で熱交換される空気の量が減少するので、冷却面温度が低下し、冷却器２０での除湿量が多くなる。これにより庫内１８との温度差が拡大するのと同時に庫内の相対湿度が低下する。
【００３６】
また、システムキッチン本体９の最下段に収納部１５を設けている関係から、湿度調整板２９の操作を簡単にする必要があり、庫内カバー２３にほぼ直角方向に延出する操作部３０を湿度調整板２９の一部を折り曲げて形成している。これにより、湿度調整板２９の操作性は極めて向上する。
【００３７】
以上のように、本実施の形態においては、冷却ユニット１９等を収納部１５の左右のどちらかの側面に設置し、庫内１８を流れる冷気を、庫内１８奥の吐出口２６から流し、断熱扉１７（断熱開口部）側に設けた吸込口２７から吸込むようにしたため、庫内１８全体に冷気が対流し、保存環境を良好なものとする。また、庫内カバー２３の吸込口２７に、その開口面積を可変する湿度調整板２９を備えることにより、庫内１８の相対湿度を、手動にて可変させることができ、食品にあわせた温度環境並びに湿度環境が得られ、収容物の保鮮性を向上することができる。なお、吸込口２７に設けたレール２８あるいは湿度調整板２９に、収容物（例えば、穀物、野菜、乾物等）に応じた湿度が得られるように、湿度調整板２９の位置を示す目盛りを付すことにより、一層使い勝手が向上する。
【００３８】
また、本実施の形態では、湿度調整板２９は、断熱扉１７（断熱箱体開口部）側に設けているが、冷気の流れが反対で吐出口２６と吸込口２７の位置が反対であっても、吸込口２７あるいは吐出口２６どちらかの開口面積を可変させることにより、風量を可変し、湿度調整ができる。
【００３９】
また、本実施の形態では、図示はしないが湿度調整板２９による開口（吸込口２７、吐出口２６）の全閉状態においても、庫内カバー２３と湿度調整板２９とは、極めて狭い空間で流路が確保されており、これにより完全に風路閉塞されることはない。
【００４０】
さらに、本実施の冷蔵庫１３は、システムキッチン組み込み式に限らず、温度の設定により保冷庫、温蔵庫、培養器など様々な貯蔵空間として、様々なユニットに組み込むことができる。
【００４１】
（実施の形態２）
図５は、本発明の実施の形態２におけるシステムキッチン組み込み式のビルトイン型冷蔵庫の冷却室近傍の拡大斜視図である。
【００４２】
図５において、庫内カバー２３に設けられた吸込口２７の冷却室２２側に、先の実施の形態１における湿度調整板２９に代えて吸込口２７の開口面積を可変する電動ダンパ３１を設けている。この構成によっても、庫内風路の圧力損失を可変することができ、先の実施の形態１と同様に庫内１８の湿度を調整することができる。電動ダンパ３１の構成は、先の実施の形態１に記載した湿度調整板２９を電動で動かす構成としても良く、またその他周知の構成であっても良い。ここでは、電動ダンパ３１を、庫内カバー２３の冷却室２２側に配置し、吸込口２７の裏面からこの吸込口２７の開口面積を調整するように構成している。
【００４３】
以上のように構成されたシステムキッチン組み込み式のビルトイン型冷蔵庫について、以下その動作、作用を説明する。
【００４４】
冷却室２０近傍での冷気の流れは、庫内１８で熱交換された冷気を吸込口２７から吸込み、冷却器２０で熱交換され、庫内攪拌用ファンモータ２１の動圧により、吐出口２６から再び庫内１８へ吐出される。ここで、庫内カバー２３に設けられた吸込口２７の開口面積を、電動ダンパ３１を駆動させることによって可変する。このとき、庫内循環風量はファンの静圧と風路の圧力損失により循環風量が決定する。これにより循環風量、冷却器表面温度、庫内湿度を可変させ、簡単に食品にあった庫内湿度が提供できる。
【００４５】
なお、電動ダンパ３１を駆動操作する湿度調整入力操作部（図示せず）は、庫内１８もしく化粧板１４などに設置されており、入力値を可変することにより電動ダンパ３１が可動し、その結果、開口面積が制御され、庫内湿度が調整できる。
【００４６】
以上のように、本実施の形態においては、湿度調整手段に吸込口の面積を可変できる電動ダンパ３１を用いることにより、人力ではなく、簡単に食品にあわせた湿度調整ができる。
【００４７】
（実施の形態３）
図６は、本発明の実施の形態３におけるシステムキッチン組み込み式のビルトイン型冷蔵庫の冷却室近傍の拡大斜視図である。
【００４８】
図６において、冷却室２２は、庫内カバー２３の断熱扉１７（断熱箱体開口部）側に設けた吸込口２７の冷却室側（庫内カバー２３の裏面）に吸湿材収納部３２を備えている。また、吸湿材収納部３２は、その内部に設けた吸湿材（図示せず）の取り出しができるように取り出し口３３を設けている。
【００４９】
以上のように構成されたシステムキッチン組み込み式のビルトイン型冷蔵庫について、以下その動作、作用を説明する。
【００５０】
庫内カバー２３に設けた吸込口２７の冷却室２２側に、風路を塞がないように吸湿材の入った吸湿材収納部３２を設置している。これにより庫内１８の食品で熱交換され、多湿の状態になった冷気が吸込み口２７より導入される。そして、吸湿材収納部３２を通過するときに冷気が除湿される。その後、冷気は、冷却器２０での熱交換により更に除湿され、吐出口２６から吐出される。この状態において、冷気は、低湿の空気となっている。
【００５１】
ここで、冷却器２０の周辺に排水口（図示せず）を設けることにより、長期にわたって除湿できるが、吸湿材収納部３２に関しては、その吸湿材の関係から吸湿できる限界がある。
【００５２】
そこで、庫内カバー２３の断熱扉１７側の面に、取り出し口３３を設けることにより、吸湿材の入替が容易に可能となり、継続して湿度調整が可能となる。吸湿材収納部３２を取り出し口３３に挿入し設置した状態は、吸湿材収納部３２のある面が庫内カバー２３の表面の一部を形成し、庫内１８と冷却室２２を遮断する。
【００５３】
以上のように、本実施の形態において乾物やのりなど低温・低湿の保存条件が求められる食品に対し、冷却による除湿と吸湿材による除湿により、低湿な空間が提供でき、また、冷却器２０の結露量を削減できることから、冷却器２０のフィン間等に結露が成長し、風路を閉塞するような弊害も防ぐことができる。
【産業上の利用可能性】
【００５４】
以上のように、本発明にかかるビルトイン型冷蔵庫は、限られた空間を有効に活用できるので、システムキッチンや理化学器実験台下やベッド下などの限られた空間を対象とするビルトイン機器に適用でき、さらに湿度調整手段を有することで幅広い食品を適正に保存できる。
【図面の簡単な説明】
【００５５】
【図１】本発明の実施の形態１におけるビルトイン型冷蔵庫を組み込んだシステムキッチンの斜視図
【図２】同実施の形態におけるビルトイン型冷蔵庫を前面に引出した時のシステムキッチンの斜視図
【図３】同実施の形態におけるビルトイン型冷蔵庫の部分斜視図
【図４】同実施の形態におけるビルトイン型冷蔵庫の冷却室近傍の拡大斜視図
【図５】本発明の実施の形態２におけるビルトイン型冷蔵庫の冷却室近傍の拡大斜視図
【図６】本発明の実施の形態３におけるビルトイン型冷蔵庫の冷却室近傍の拡大斜視図
【図７】従来のシステムキッチン組み込み式保冷庫の斜視図
【符号の説明】
【００５６】
９    システムキッチン本体
１２  引き出し収納ケース
１３  システムキッチン組み込み式のビルトイン型冷蔵庫
１４Ａ  化粧板
１４Ｂ  化粧板
１４Ｃ  吸込みグリル
１５  収納部
１６  機械室
１７  断熱扉
１８  庫内
１９  冷却ユニット
２０  冷却器
２１  庫内攪拌用ファンモータ
２２  冷却室
２３  庫内カバー
２４  収納ケース
２５Ａ  固定レール
２５Ｃ  可動レール
２６  吐出口
２７  吸込口
２８  湿度調整板用レール
２９  湿度調整板
３０  操作部
３１  電動ダンパ
３２  吸湿材収納部
３３  吸湿材取り出し口
【図１】
2006105562.tif 000003
【図２】
2006105562.tif 000004
【図３】
2006105562.tif 000005
【図４】
2006105562.tif 000006
【図５】
2006105562.tif 000007
【図６】
2006105562.tif 000008
【図７】
2006105562.tif 000009